(57)【要約】      （修正有）【課題】包装箱の側面がフラップの組み合わせによって形成される包装箱において、包装箱の上下方向に力が加えられた場合であっても、フラップの係止が外れにくい包装箱を提供する。【解決手段】上面部２と、底面部４と、側壁部３及び側壁部５と、開口部の少なくとも一部を覆う内側フラップ、外側フラップ６Ｒ及び外側フラップ６Ｌと、外側フラップ６Ｒ及び外側フラップ６Ｌの少なくとも一部を覆う外側フラップ７Ｆを備え、外側フラップ７Ｆの隅部に設けられた差し込み部１２及び係止部１３と、外側フラップ６Ｒ及び外側フラップ６Ｌが設けられ、差し込み部１２が外側から挿入される挿入口と、係止部１３と係止、離脱可能に設けられた係止部１１と、外側フラップ７Ｆに設けられた少なくとも一つの折れ線２０ａを有することを特徴とする。【選択図】図１
0003188857.tif 000002
【実用新案登録請求の範囲】
【請求項１】
包装箱の上面を形成する上面部と、
底面を形成する底面部と、
前記上面部と前記底面部を連結し、前記上面部と前記底面部と共に筒体部を構成する一対の側壁部と、
前記筒体部の少なくとも一方の開口部と隣接する前記上面部の辺から、前記底面部に向かって延出し、前記開口部の少なくとも一部を覆う第一のフラップと、
前記開口部と隣接する一方の前記側壁部の辺から、対向する他方の前記側壁部に向かって延出し、前記開口部の少なくとも一部を覆う一組の第二のフラップと、
前記開口部と隣接する前記底面部の辺から、前記上面部に向かって延出し、前記第二のフラップの少なくとも一部を覆う第三のフラップを備え、
前記第三のフラップの隅部に設けられた差し込み部と、
前記差し込み部に設けられた第一の係止部と、
前記第二のフラップの前記差し込み部と対応する位置に設けられ、前記差し込み部が外側から挿入される挿入口と、
前記挿入口の辺であって、前記第一の係止部と係止、離脱可能に設けられた第二の係止部と、
前記第三のフラップの先端の辺から、前記第三のフラップと前記底面部が隣接する辺に向かって延びる少なくとも一つの折れ線を有する
ことを特徴とする
包装箱。
【請求項２】
断面が連続する略Ｓ字状に形成された中しん、および該中しんを間に挟むライナを有する段ボールシート材から形成される包装箱であって、
前記中しんの稜線が、少なくとも前記側壁部及び第二のフラップにおいては前記上面部及び前記底面部と略直交する方向に延びるように前記段ボールシート材が配置され、
前記第三のフラップにおいては、前記段ボールシート材の中しんの稜線が、前記上面部及び前記底面部と略平行な方向に延びる様に前記段ボールシート材が配置されていることを特徴とする
請求項１に記載の包装箱。
【請求項３】
前記第一のフラップの隅部に設けられた差し込み部と、
前記差し込み部に設けられた第一の係止部と、
前記第二のフラップの前記差し込み部と対応する位置に設けられ、前記差し込み部が外側から挿入される挿入口と、
前記挿入口の辺であって前記第一の係止部と係止、離脱可能に設けられた第二の係止部と、
を有することを特徴とする
請求項１または請求項２に記載の包装箱。
【考案の詳細な説明】
【技術分野】
【０００１】
本考案は、包装箱に関する。
【背景技術】
【０００２】
例えば段ボールシート材などのシート部材から形成される略直方体の包装箱は、４つの側壁部と、各側壁部から延出し、組み合わされて包装箱の蓋部となるフラップから主に構成されるものが知られている。また、一方の一組のフラップの先端の隅部に挿入口が設けられ、他方の一組のフラップに挿入部分が設けられた包装箱も知られている（例えば、特許文献１参照。）。この様な包装箱の組み立ての際には、挿入口を有する一組のフラップを包装箱の開口部を覆う様に折り曲げた後、他方の一組のフラップを先に折り曲げたフラップに重ねる様に折り曲げる。そして、一方の一組のフラップに設けられた挿入部を、先に折り曲げた一組のフラップに設けられた挿入口に挿入することで、挿入口と挿入部が係止され、各フラップが固定されて包装箱の蓋部が形成される。この様な包装箱では、テープなどの固定部材を用いることなく包装箱が形成されるため、包装箱の形成作業を簡略化することができる。
【０００３】
このような包装箱を用いて、葉物野菜などの柔らかい素材からなる商品（内容物）を包装する場合、上側に収納した内容物の重さによって下側に収納された内容物が圧迫され、内容物が損傷してしまうことがあった。このようなことを防ぐため、内容物を順次包装箱に収納し、蓋部を閉めた後に、当該蓋部が包装箱の側面となるように包装箱を回転させて使用する場合があった。このようにすれば、内容物が上下方向に折り重なることがないため、内容物の自重によって他の内容物が圧迫されることを防ぐことができるためである。
【先行技術文献】
【特許文献】
【０００４】
【特許文献１】特開２００５−２９８０２９号公報
【考案の概要】
【考案が解決しようとする課題】
【０００５】
しかしながら、実際の包装箱の使用において、運搬や保管の為に当該包装箱を複数個積み重ねる場合がある。この際、特許文献１に記載の包装箱を用いて、上述の様に、その蓋部が側面となるようにして使用した場合には、包装箱の蓋部を構成するフラップ同士の係止が外れ、当該蓋部が開いてしまうという問題があった。これは、包装箱に上下方向の力が加わることにより、挿入部を有するフラップが外側に膨らむ様に変形し、挿入部と挿入口の係止が外れてしまうためであった。
【０００６】
本考案は、上記の課題を解決するためになされたものであって、包装箱の側面がフラップの組み合わせによって形成される包装箱において、当該包装箱の上下方向に力が加えられた場合であっても、各フラップの係止が外れにくい包装箱を提供することを目的とする。さらに、その組み立てにあっては、固定部材等を用いることなく容易に行うことが可能で、開梱も容易な包装箱を提供することも目的とする。
【課題を解決するための手段】
【０００７】
上記目的を達成するために、本考案は、以下の手段を提供する。
本考案の包装箱は、包装箱の上面を形成する上面部と、底面を形成する底面部と、前記上面部と前記底面部を連結し、前記上面部と前記底面部と共に筒体部を構成する一対の側壁部と、前記筒体部の少なくとも一方の開口部と隣接する前記上面部の辺から、前記底面部に向かって延出し、前記開口部の少なくとも一部を覆う第一のフラップと、前記開口部と隣接する一方の前記側壁部の辺から、対向する他方の前記側壁部に向かって延出し、前記開口部の少なくとも一部を覆う一組の第二のフラップと、前記開口部と隣接する前記底面部の辺から、前記上面部に向かって延出し、前記第二のフラップの少なくとも一部を覆う第三のフラップを備え、前記第三のフラップの隅部に設けられた差し込み部と、前記差し込み部に設けられた第一の係止部と、前記第二のフラップの前記差し込み部と対応する位置に設けられ、前記差し込み部が外側から挿入される挿入口と、前記挿入口の辺であって、前記第一の係止部と係止、離脱可能に設けられた第二の係止部と、前記第三のフラップの先端の辺から、前記第三のフラップと前記底面部が隣接する辺に向かって延びる少なくとも一つの折れ線を有することを特徴とする。
【０００８】
このような特徴を有する包装箱では、挿入口に差し込み部を差し込むだけの簡易な作業で包装箱の組み立てを行うことができる。また、差し込み部及び挿入口には、それぞれ第一の係止部及び第二の係止部が設けられており、差し込み部をそのまま引き抜くと、当該第一の係止部と第二の係止部が当接するため、挿入口に差し込まれた差し込み部が抜けにくくなっている（以降、この様に第一の係止部と第二の係止部が当接している状態、及び差し込み部を引き抜く際に第一の係止部を第二の係止部が当接することとなる状態を、第一の係止部及び第二の係止部が係止されていると記載する。）。また、当該係止は固定部材等を用いてはいないため、少なくとも一方の係止部を内側、又は外側にずらすなどすることで、当該係止を外すことができる（以降、このような係止の状態を、係止、離脱可能に係止されていると記載する。）。従って第三のフラップは、第二のフラップに固定され、またその取り外しを容易に行うことができる。
【０００９】
さらには、第三のフラップに折れ線が設けられていることから、包装箱の上面に荷重が加わるなどの理由により、第三のフラップに上面部から底面部に向かう力が加わったとしても、当該折れ線によって当該力が分散される。言い換えれば、当該包装箱に加えられた上下方向の力の一部が、折れ線に沿って第三のフラップを折り曲げる方向にも向くことになり、第一の係止部および第二の係止部が離脱しやすくなる第三のフラップの変形を防ぐことができる。
【００１０】
上記考案においては、断面が連続する略Ｓ字状に形成された中しん、および該中しんを間に挟むライナを有する段ボールシート材から形成される包装箱であって、前記中しんの稜線が、少なくとも前記側壁部及び第二のフラップにおいては前記上面部及び前記底面部と略直交する方向に延びるように前記段ボールシート材が配置され、前記第三のフラップにおいては、前記段ボールシート材の中しんの稜線が、前記上面部及び前記底面部と略平行な方向に延びる様に前記段ボールシート材が配置されていることを特徴とすることが好ましい。
【００１１】
段ボールシート材は、その表面及び裏面を形成する表面素材（ライナ）と、表面素材の間に配置され、断面が連続する略Ｓ字状の波状に形成された中しんから構成されている。この構造から、一般に段ボールシート材は、その端部にその段ボールシート材の面と平行な方向に力が加わった時、中しんの稜線が延びる方向（段ボールシート材の幅方向）に対する力には強く（変形しにくい）、中しんの稜線が延びる方向と直交する方向（段ボールシート材の流れ方向）には弱い（変形しやすい）という特性を有している。
【００１２】
従って、このように段ボールシート材の幅方向を、外部から加わる力の方向にそろえて段ボールシート材を配置すると、当該方向の力に対する耐性の増した包装箱とすることができる。ただし、一枚の段ボールシート材からこのように包装箱を形成した場合、第三のフラップを構成する段ボールシート材の幅方向が、第三のフラップ左右方向となる。このため、包装箱の上下方向に力が加わった場合には、第三のフラップにおいては段ボールシート材の流れ方向に力が加わることとなり、第三のフラップが変形しやすくなってしまう。しかしながら、第三のフラップに折れ線を設けることによって当該上下方向の力は分散され、第一の係止部および第二の係止部が離脱しやすくなる第三のフラップの変形が防がれている。
【００１３】
上記考案においては、前記第一のフラップの隅部に設けられた差し込み部と、前記差し込み部に設けられた第一の係止部と、前記第二のフラップの前記差し込み部と対応する位置に設けられ、前記差し込み部が外側から挿入される挿入口と、前記挿入口の辺であって前記第一の係止部と係止、離脱可能に設けられた第二の係止部とを有することを特徴とすることが好ましい。
【００１４】
このようにすることで、上面部から延出する第一のフラップも第二のフラップに係止、離脱可能に係止されるため、包装箱の蓋部となるフラップの固定をより確実にすることが可能となる。
【考案の効果】
【００１５】
本考案の包装箱によれば、包装箱の組み立てにテープなどの固定部材を用いる必要がないため、その組み立てを容易な作業で行うことができる。また、包装箱の蓋部となるフラップは、係止、離脱可能に係止されているため、蓋部が自然に開いてしまうことが防がれ、かつ、容易に開梱することができる。さらには、第三のフラップに設けられた折れ線によって、包装箱の上面部から底面部に向かう方向に力が加わったとしても、当該力の一部は折れ線に沿って第三のフラップを折り曲げる方向にも使われ分散されるため、第三のフラップが変形してしまうことが防がれている。このため、第三のフラップが変形し、第二のフラップと第三のフラップの係止が外れてしまうことが防がれるという効果を奏する。
【図面の簡単な説明】
【００１６】
【図１】本考案の第一の実施形態に係る包装箱の構成を説明する斜視図である。
【図２】本考案の第一の実施形態に係る包装箱の構成を説明する展開図である。
【図３】本考案の第一の実施形態に係る包装箱の組み立て方を説明する斜視図及びフラップの係止を説明する部分拡大図である。
【図４】本考案の第二の実施形態に係る包装箱の構成を説明する斜視図である。
【図５】本考案の第二の実施形態に係る包装箱の構成を説明する展開図である。
【考案を実施するための形態】
【００１７】
〔第一の実施形態〕
以下、本考案の第一の実施形態に係る包装箱について図１から図３を参照しながら説明する。本実施形態では、本包装箱を水菜などの葉物野菜の包装箱に適用した場合として説明をする。なお、包装箱の内容物としては他の野菜や食料品、衣類や工業用品等、様々なものであってよく、特にこれに限定されるものではない。
【００１８】
本考案の第一の実施形態に係る包装箱１は、六面体の立方体容器で、段ボールシート材から構成されている。この包装箱１は、上面部２、底面部４と、互いに向かい合う一組の側壁を構成する側壁部３及び側壁部５と、他の互いに向かい合う一組の側壁を構成する側壁Ａ及び側壁Ｂから主に構成されている。これらの各面に囲まれた部分が包装箱１の収納空間Ｄである。なお、側壁Ａ及び側壁Ｂは、複数のフラップが係止、離脱可能に組み合わされて構成されており、開閉が自在な蓋部となっている。
【００１９】
なお、本実施例では段ボールシート材の幅方向（中しんの稜線が延びる方向）が、包装箱１の各側壁の上下方向（上面部２から底面部４に向かう方向）となるように、段ボールシート材を配置している。一般に段ボールシート材は、断面が連続する略Ｓ字状に形成された中しん、及び該中しんを挟むライナから構成されている。そして、段ボールシート材の端部に、その平面部と平行な力が加わった場合、段ボールシート材の幅方向に対する力には強く(曲がりにくい)、段ボールシート材の流れ方向（中しんの稜線が延びる方向と直交する方向）には弱い（曲がりやすい）という特性を有している。このため、段ボールシート材の幅方向を、包装箱１の各側壁の上下方向となるように配置することで、包装箱１の上下方向の強度を増すことができる。このように段ボールシート材を配置すれば、例えば包装箱１を複数積み重ねるなどして、上面部２から底面部４の方向に力が加わる様な場合であっても、下側に配置した包装箱１が変形等してしまうことを防ぐことが可能となる。
【００２０】
以降の説明において、包装箱１の収納空間Ｄを包装箱１の内側、又は単に内側と記載し、包装箱１の各面にて隔てられた包装箱１の収納空間Ｄとは反対側の空間を包装箱１の外側、又は単に外側と記載する。また、左右方向、上下方向、前後方向は各図の図中に示す方向とする。さらに図１の説明では、包装箱１の後側の側壁Ｂは、前側の側壁Ａと同一の構成をしているため、前側の側壁Ａについて説明を行い、後側の側壁Ｂの詳細な説明は省略する。
【００２１】
底面部４は、包装箱１の底面となる部分であり、内容物の重量を主に支える部分である。収納空間Ｄを挟んで底面部４と対向する上面部２は、包装箱１の上面をなす部分である。
【００２２】
側壁部３と側壁部５は、収納空間Ｄを挟んで向かい合う一組の側壁であり、それぞれ、上面部２及び底面部４と略直交して連結されている。なお、上面部２と側壁部５は、側壁部５に設けられた固定部２１を、接着剤などの固定部材によって上面部２の内側の面に固定することによって連結されている。この上面部２、側壁部３、底面部４、側壁部５によって構成された筒体が、実用新案登録請求の範囲の筒体部とされている。
【００２３】
上面部２の辺である辺ａ１ｃ１から、内側フラップ９Ｆが、上面部２と略直交し、底面部４に向かって延出している。内側フラップ９Ｆは、後述する外側フラップ６Ｒ及び外側フラップ６Ｌの内側の面に接する様に配置され、収納空間Ｄの一方の開口の一部を覆っている。
【００２４】
側壁部３の辺である辺ｃ１ｃ２から、外側フラップ６Ｒが、側壁部３と略直交し側壁部５に向かって延出している。同様に、側壁部５の辺ａ１ａ２から、外側フラップ６Ｌが、側壁部５と略直交し側壁部３に向かって延出している。
【００２５】
外側フラップ６Ｒ及び外側フラップ６Ｌの底面部４側の部分には、切り込みによって区画された押し込み片１０がそれぞれ設けられている。また、この押し込み片１０を内側に押し込んだ際に生じる開口が挿入口２３である。
【００２６】
挿入口２３には、包装箱１の辺ａ２ｃ２と略平行な係止部１１が設けられている。この係止部１１は、後述する外側フラップ７Ｆに設けられた係止部１３と係止、離脱可能に係止される部分である。
【００２７】
底面部４の辺ａ２ｃ２からは、外側フラップ７Ｆが、底面部４と略直交して上面部２に向かって延出している。外側フラップ７Ｆは、外側フラップ６Ｒ及び外側フラップ６Ｌの外側の面に接する様に配置され、外側フラップ６Ｒ及び外側フラップ６Ｌの一部を覆っている。
【００２８】
外側フラップ７Ｆの上面部２側の辺の両隅部には、辺ｂ１ｂ２を中心として左右対称に差し込み部１２が設けられている。そして、この差し込み部１２には、外側フラップ７Ｆの辺ａ２ｃ２と略平行な係止部１３が設けられている。
【００２９】
この差し込み部１２は、それぞれ外側フラップ６Ｒ及び外側フラップ６Ｌの対応する位置に設けられた挿入口２３に差し込まれる部分である。差し込み部１２を挿入口２３に差し込む際には、まず、外側フラップ７Ｆを外側に若干押し曲げ、差し込み部１２が外側フラップ６Ｒ及び外側フラップ６Ｌに設けられた押し込み片１０と略同一の位置となるようにする。その後、押し込み片１０を内側に押し込んで挿入口２３を開口させ、差し込み部１２を挿入口２３に挿入する（図３（ａ）参照。）。
【００３０】
差し込み部１２を挿入口２３に挿入すると、差し込み部１２に設けられた係止部１３と、挿入口２３に設けられた係止部１１が係止、離脱可能に係止される（図３（ｂ）参照。）。これらの係止により、外側フラップ７Ｆと外側フラップ６Ｒ及び外側フラップ６Ｌが係止、離脱可能に係止され、包装箱１の側壁Ａが形成される。
【００３１】
外側フラップ７Ｆには、折れ線２０ａ、折れ線２０ｂ、折れ線２０ｃがそれぞれ設けられている。折れ線２０ａは、外側フラップ７Ｆの辺ａ２ｃ２の中点である点ｂ２の付近から、辺ａ２ｃ２と略直交し、外側フラップ７Ｆの辺ａ２ｃ２と向かい合う辺に向う方向に延びる折れ線である。折れ線２０ｂは、辺ａ２ｂ２の中点付近から、外側フラップ７Ｆの辺ａ２ｃ２と対向する辺に向かって延びるにつれ、折れ線２０ａに近接する様に設けられた折れ線である。折れ線２０ｃは、折れ線２０ａを中心に折れ線２０ｂと左右対称に設けられた折れ線である。
【００３２】
本実施例では、包装箱１の側壁Ａは、複数のフラップを組み合わせることによって形成されている。この様な包装箱において、例えば複数の包装箱１を積み重ねるなどして、上面部２から底面部４に向かう方向に力が加わった場合には、外側フラップ７Ｆにも上下方向の力が加わることになる。このような力が加わった場合には、外側フラップ７Ｆが外側に膨らむ様に変形し、挿入口２３に差し込まれていた差し込み部１２が抜けやすくなってしまう。しかしながら、本実施例の様に外側フラップ７Ｆに折れ線を設ければ、当該上下方向の力が分散し、外側フラップ７Ｆが変形しにくくなる。言い換えれば、当該上下方向に加わる力の一部が、折れ線に沿って外側フラップ７Ｆを折り曲げる方向にも働くため、係止が離脱しやすくなる外側フラップ７Ｆの変形を防ぐことができる。
【００３３】
なお、包装箱１の後側にも、前側と同様に内側フラップ９Ｂ、外側フラップ８Ｒ、外側フラップ８Ｌ、外側フラップ７Ｂが設けられており、それぞれ押し込み片１４、係止部１５、差し込み部１６、係止部１７が設けられている。そして、これらのフラップを組み合わせ、外側フラップ７Ｂの隅部に設けられた差し込み部１６を、押し込み片１４を内側に押し込みながら挿入口２４に挿入することで、側壁Ｂが形成される。なお、外側フラップ７Ｂにも、外側フラップ７Ｆと同様に折れ線２０ａ、折れ線２０ｂ、折れ線２０ｃがそれぞれ設けられており、外側フラップ７Ｆと同様の効果が得られるようになっている。
【００３４】
なお、側壁部３及び側壁部５の上面部２側の部分には、切り込みによって区画された持ち手部２２Ｒ及び持ち手部２２Ｌがそれぞれ設けられている。この持ち手部２２Ｒ及び持ち手部２２Ｌは、包装箱１の運搬などの際に持ち手とする部分である。
【００３５】
図２は、包装箱１の展開図である。包装箱１は、一枚の段ボールシート材を図２に示す様な形状に形成されたシート部材Ｅを、折り曲げや接合等を行って形成される。本実施例では、前述の様に、包装箱１の上下方向（上面部２から底面部４に向かう方向）の強度を十分なものとするために、中心線Ｃが延びる方向に段ボールシート材の幅方向をそろえて段ボールシート材を配置している。
【００３６】
このように段ボールシート材を配置すれば、包装箱１を組み立てた際に、側壁部３、側壁部５、外側フラップ６Ｒ、外側フラップ６Ｌ、外側フラップ８Ｒ及び外側フラップ８Ｌの上下方向が段ボールシート材の幅方向と同じとなる。このため、上下方向の力に強い包装箱とすることができる。
【００３７】
以降、図２に従い包装箱１を形成するシート部材Ｅの説明を行う。なお、説明にあっては、シート部材Ｅの各構成の名称を、対応する包装箱１の各構成の名称を用いて説明をおこなう。例えば、図２において点ａ１ｃ１ｇ１ｅ１にて囲まれる領域は、包装箱１の上面部２となる部分であるため、同領域を上面部２と記載する。なお、図中の破線は折れ線を示している。
【００３８】
シート部材Ｅは、中心線Ｃを中心とした線対称の形状をしている。図２の略中央に位置する、点ａ２ｃ２ｇ２ｅ２にて囲まれた領域が、包装箱１の底面となる底面部４である。底面部４の辺ａ２ｅ２からは、中心線Ｃの延びる方向に側壁部５が延出し、同様に辺ｃ２ｇ２からは、中心線Ｃの延びる方向に側壁部３が延出している。また、辺ａ２ｃ２及び辺ｅ２ｇ２からは、中心線Ｃと直交する方向に外側フラップ７Ｆ及び外側フラップ７Ｂが、それぞれ対称に延出している。
【００３９】
外側フラップ７Ｆの外側フラップ６Ｒ及び外側フラップ６Ｌと隣接する辺には、それぞれ切り欠きが設けられている。また、外側フラップ７Ｆの辺ａ２ｃ２と向かい合う辺にも二カ所の切り欠きが設けられている。これらの切り欠きによって多角形の形状に区画された外側フラップ７Ｆの両隅の部分が、差し込み部１２である。そして、この差し込み部１２の辺のうち、辺ａ２ｃ２と略平行に形成された辺が係止部１３である。外側フラップ７Ｂにも、中心線Ｃを中心として外側フラップ７Ｆと線対称に、差し込み部１６、及び係止部１７がそれぞれ設けられている。
【００４０】
なお、この外側フラップ７Ｆ及び外側フラップ７Ｂが実用新案登録請求の範囲における第三のフラップとされている。また、差し込み部１２及び差し込み部１６が実用新案登録請求の範囲における差し込み部と、係止部１３及び係止部１７が実用新案登録請求の範囲における第一の係止部とされている。
【００４１】
外側フラップ７Ｆには、辺ａ２ｃ２の中点である点ｂ２の付近から辺ａ２ｃ２と略直交し、辺ａ２ｃ２と向かい合う辺に向う方向に延びる折れ線２０ａが設けられている。また、辺ａ２ｂ２の中点付近から、辺ａ２ｃ２と向かい合う辺に近づくにつれ、折れ線２０ａに近づく様に延びる折れ線２０ｂが設けられている。さらに、折れ線２０ａを中心に、折れ線２０ｂと線対称に折れ線２０ｃも設けられている。
【００４２】
外側フラップ７Ｂにも同様に、中心線Ｃを中心として外側フラップ７Ｆと線対称に、折れ線２０ａ、折れ線２０ｂ及び折れ線２０ｃがそれぞれ設けられている。なお、この折れ線２０ａ、折れ線２０ｂ及び折れ線２０ｃが、実用新案登録請求の範囲における折れ線とされている。
【００４３】
本実施例では前述の様に、中心線Ｃの延びる方向に段ボールシート材の幅方向をそろえて配置しているため、包装箱１を組み上げた際、外側フラップ７Ｆ及び外側フラップ７Ｂの上下方向が、段ボールシート材の流れ方向となっている。このため、例えば包装箱１を重ねるなどして、上面部２から底面部４の方向に力が加わり、外側フラップ７Ｆ、及び外側フラップ７Ｂに上下方向の力が加わった場合には、外側フラップ７Ｆ及び外側フラップ７Ｂは外側に膨らみ、変形しやすくなってしまっている。しかしながら、本実施例の様に折れ線を設けることで、当該力が分散されるため、そのような変形を防ぐことが可能となっている。
【００４４】
側壁部３の辺ｃ１ｇ１からは、上面部２が中心線Ｃの延びる方向に延出している。また、側壁部３の辺ｃ１ｃ２及び辺ｇ１ｇ２からは、中心線Ｃと直交する方向に外側フラップ６Ｒ及び外側フラップ８Ｒがそれぞれ対称に延出している。
【００４５】
外側フラップ６Ｒは後述する外側フラップ６Ｌと共に、収納空間Ｄの一方の開口の略全体を覆うフラップである。また、外側フラップ８Ｒは、後述する外側フラップ８Ｌと共に、収納空間Ｄのもう一方の開口の略全体を覆うフラップである。なお、側壁部３の上面部２側の部分には、切り込み線によって区画された持ち手部２２Ｒが設けられている。
【００４６】
外側フラップ６Ｒの、外側フラップ７Ｆに設けられた差し込み部１２と対応する部分には、切り込み線によって区画された押し込み片１０が設けられている。この押し込み片１０が内側に押仕込まれた際に生じる開口が挿入口２３である。また、挿入口２３の辺のうち、中心線Ｃ側に設けられた、辺ｂ２ｃ２と略平行な部分が、係止部１１である。係止部１１は、前述の外側フラップ７Ｆに設けられた対応する係止部１３と係止、離脱可能に係止される部分である。
【００４７】
外側フラップ８Ｒにも、押し込み片１４、及び係止部１５が、中心線Ｃを中心として、外側フラップ６Ｒと線対称に設けられている。押し込み片１４が内側に押し込まれた際に生じる開口が挿入口２４である。そして、挿入口２４に設けられた係止部１５は、前述の外側フラップ７Ｂに設けられた対応する係止部１７と係止、離脱可能に係止される部分である。
【００４８】
側壁部５の辺ａ１ａ２及び辺ｅ１ｅ２からは、中心線Ｃと直交する方向に、外側フラップ６Ｌ及び外側フラップ８Ｌがそれぞれ対称に延出している。外側フラップ６Ｌの、前述の外側フラップ７Ｆに設けられた差し込み部１２と対応する部分には、切り込みにて区画された押し込み片１０が設けられている。この押し込み片１０が内側に押し込まれた際に生じる開口が、挿入口２３である。また、挿入口２３の辺のうち、中心線Ｃ側に設けられた、辺ａ２ｂ２と略平行な部分が、係止部１１である。係止部１１は前述の外側フラップ７Ｆに設けられた対応する係止部１３と係止、離脱可能に係止される部分である。
【００４９】
外側フラップ８Ｌにも、押し込み片１４、及び係止部１５が、中心線Ｃを中心として、外側フラップ６Ｌと線対称な位置に設けられている。この押し込み片１４が内側に押し込まれた際に生じる開口が挿入口２４である。そして、挿入口２４に設けられた係止部１５は、前述の外側フラップ７Ｂに設けられた、対応する係止部１７と係止、離脱可能に係止される部分である。
【００５０】
なお、この外側フラップ６Ｒ、外側フラップ６Ｌ、外側フラップ８Ｒ、及び外側フラップ８Ｌが、実用新案登録請求の範囲における第二のフラップとされている。また、挿入口２３及び挿入口２４が実用新案登録請求の範囲における挿入口と、係止部１１及び係止部１５が、実用新案登録請求の範囲における第二の係止部とされている。
【００５１】
上面部２の辺ａ１ｃ１及び辺ｅ１ｇ１からは、中心線Ｃと直交する方向に内側フラップ９Ｆ及び内側フラップ９Ｂがそれぞれ対称に延出している。この内側フラップ９Ｆ及び内側フラップ９Ｂは、それぞれ収納空間Ｄ側に、上面部２と略直交する様に折り曲げられ、収納空間Ｄのそれぞれの開口の一部を覆う部分である。この際、それぞれのフラップは、外側フラップ６Ｒ、外側フラップ６Ｌ、外側フラップ８Ｒ及び外側フラップ８Ｌの内側の面に接する様に配置される。なお、この内側フラップ９Ｆ及び内側フラップ９Ｂが、実用新案登録請求の範囲における第一のフラップとされている。
【００５２】
側壁部５の辺ａ１ｅ１からは、中心線Ｃの延びる方向に固定部２１が延出している。固定部２１は、上面部２と側壁部５を接着剤などの固定部材を用いて連結する部分である。具体的には、上面部２の辺ａ１ｅ１と側壁部５の辺ａ１ｅ１が一致する様に当接させた状態で、固定部２１を固定部材を用いて上面部２の内側の面に固定する。なお、側壁部５の上面部２側の部分には、切り込み線によって区画された持ち手部２２Ｌが設けられている。
【００５３】
上記の構成からなる包装箱１によれば、そのフラップの固定に固定部材等を用いる必要がないため、その組み立てを容易な作業で行うことができる。また、包装箱１の収納空間Ｄの蓋部分である側壁Ａ及び側壁Ｂを構成する各フラップは、各係止部によって、係止、離脱可能に係止されているため、包装箱１が自然に開いてしまうことはなく、かつ、容易に開梱することが可能である。
【００５４】
さらには、本実施例では、包装箱１を構成する段ボールシート材の幅方向を、包装箱１の上下方向と揃えて段ボールシート材を配置しているため、上面部２から底面部４に向かう様な上下方向の力に対して強度のある包装箱となっている。一方、この様に段ボールシート材を配置した場合には、外側フラップ７Ｆ及び外側フラップ７Ｂの上下方向が、段ボールシート材の流れ方向となってしまう。この場合、包装箱１に上下方向の力が加わった場合には、外側フラップ７Ｆ及び外側フラップ７Ｂが外側に膨らむ様に変形し、係止が外れやすくなってしまう。しかしながら、外側フラップ７Ｆ及び外側フラップ７Ｂに流れ方向に沿った折れ線を設けることによって、係止が離脱しやすくなる外側フラップ７Ｆ及び外側フラップ７Ｂの変形を防ぐことができている。このため、例えば包装箱１を複数積み上げるなどして上下方向の力が包装箱１に加わる場合であっても、フラップの係止が外れにくい包装箱となっている。
【００５５】
〔第二の実施形態〕
次に、本考案の第二の実施形態について図４から図５を参照しながら説明する。本実施形態の包装箱１００の基本構成は、第一の実施形態と同様であるが、第一の実施形態とは、上面部２から延出するフラップの形状とその配置が主に異なっている。よって、本実施形態においては、第一の実施形態と異なる部分のみを説明し、その他の共通する部分の説明を省略する。また、図４の説明では、包装箱１００の前側の側壁Ａと後側の側壁Ｂは同一の構成をしているため、前側の側壁Ａについて説明を行い、後側の側壁Ｂの詳細な記載は省略する。
【００５６】
包装箱１００の上面部２の辺ａ１ｃ１からは、外側フラップ１０９Ｆが上面部２と略直交し、底面部４に向かって延出している。外側フラップ１０９Ｆは、外側フラップ６Ｒ及び外側フラップ６Ｌの外側の面に接する様に配置され、外側フラップ６Ｒ及び外側フラップ６Ｌの一部を覆っている。
【００５７】
外側フラップ１０９Ｆの底面部４側の辺の両隅部には、左右対称に差し込み部１１２が設けられている。この差し込み部１１２には、外側フラップ１０９Ｆの辺ａ１ｃ１と略平行な係止部１１３が設けられている。この差し込み部１１２は、後述する外側フラップ６Ｒ及び外側フラップ６Ｌに設けられた、挿入口１２３に差し込まれる部分である。
【００５８】
外側フラップ１０９Ｆには、折れ線１２０ａ、折れ線１２０ｂ、折れ線１２０ｃがそれぞれ設けられている。折れ線１２０ａは、外側フラップ１０９Ｆの辺ａ１ｃ１の中点である点ｂ１の付近から、辺ａ１ｃ１と略直交し、外側フラップ１０９Ｆの辺ａ１ｃ１と向かい合う辺に向う方向に延びる折れ線である。折れ線１２０ｂは、辺ａ１ｂ１の略中点付近から外側フラップ１０９Ｆの辺ａ１ｃ１と向かい合う辺に向かって延びるにつれ、折れ線１２０ａに近接する様に設けられた折れ線である。折れ線１２０ｃは、折れ線１２０ａを中心に、折れ線１２０ｂと左右対称に設けられた折れ線である。
【００５９】
外側フラップ６Ｒ及び外側フラップ６Ｌの、前記外側フラップ１０９Ｆに設けられた差し込み部１１２と対応する位置には、切り込みによって区画された押し込み片１１０がそれぞれ設けられている。この押し込み片１１０が内側に押し込まれた際に生じる開口が、挿入口１２３である。
【００６０】
挿入口１２３には、包装箱１００の辺ａ１ｃ１と略平行な係止部１１１が設けられている。この係止部１１１は、外側フラップ１０９Ｆに設けられた係止部１１３と係止、離脱可能に係止する部分であり、この係止により、外側フラップ１０９Ｆと外側フラップ６Ｒ及び外側フラップ６Ｌが係止、離脱可能に係止される。
【００６１】
図５は、包装箱１００の展開図である。包装箱１００は、一枚の段ボールシート材を、図５に示す様な形状に形成されたシート部材Ｆを、折り曲げや接合等の組み立て作業を行って形成される。なお、段ボールシート材の幅方向、流れ方向の向きは第一の実施形態と同様である。
【００６２】
以降、図５に従い包装箱１００を形成するシート部材Ｆの説明を行う。シート部材Ｆは、中心線Ｃを中心とした線対称の形状をしている。上面部２の辺ａ１ｃ１及びｅ１ｇ１からは、中心線Ｃと直交する方向に外側フラップ１０９Ｆ及び外側フラップ１０９Ｂが、それぞれ対称に延出している。
【００６３】
外側フラップ１０９Ｆの辺のうち、辺ａ１ｃ１と向き合う辺の両端の隅部には、切り欠きによって多角形の形状に区画された差し込み部１１２が設けられている。そしてこの差し込み部の辺のうち、辺ａ１ｃ１と略平行な部分が係止部１１３である。同様に、外側フラップ１０９Ｂの辺の隅部にも、中心線Ｃを中心として外側フラップ１０９Ｆと線対称に差し込み部１１６及び係止部１１７が設けられている。なお、この外側フラップ１０９Ｆ及び外側フラップ１０９Ｂが、実用新案登録請求の範囲における第一のフラップとされている。また、差し込み部１１２及び差し込み部１１６が、実用新案登録請求の範囲における差し込み部とされ、係止部１１３及び係止部１１７が、実用新案登録請求の範囲における第一の係止部とされている。
【００６４】
外側フラップ１０９Ｆには、外側フラップ７Ｆに設けられた折れ線と同様の態様で、折れ線１２０ａ、折れ線１２０ｂ、折れ線１２０ｃがそれぞれ設けられている。外側フラップ１０９Ｂにも、中心線Ｃを中心として、外側フラップ１０９Ｆと対称に折れ線１２０ａ、折れ線１２０ｂ、折れ線１２０ｃが設けられている。
【００６５】
このように外側フラップ１０９Ｆ及び外側フラップ１０９Ｂに折れ線を設けることで、例えば上面部２を包装箱の底面側として使用することも可能となる。つまり、上面部２から延出する外側フラップ１０９Ｆ及び外側フラップ１０９Ｂにも折れ線が設けられているため、上面部２を包装箱の底面側として使用したとしても、外側フラップ１０９Ｆ及び外側フラップ１０９Ｂの変形が防がれるためである。
【００６６】
外側フラップ６Ｒ及び外側フラップ６Ｌの、外側フラップ１０９Ｆに設けられた差し込み部１１２と対応する位置には、切り込みによって区画された押し込み片１１０が設けられている。この押し込み片１１０が内側に押し込まれた際に生じる開口が、挿入口１２３である。また、挿入口１２３には、挿入口２３と同様に係止部１１１が設けられている。この係止部１１１は、前述の外側フラップ１０９Ｆに設けられた係止部１１３と係止、離脱可能に係止される部分である。
【００６７】
外側フラップ８Ｒ及び外側フラップ８Ｌにも、中心線Ｃを中心として外側フラップ６Ｒ及び外側フラップ６Ｌと線対称に、押し込み片１１４、係止部１１５がそれぞれ設けられている。また、押し込み片１１４を内側に押し込んだ際に生じる開口が、挿入口１２４である。なお、この挿入口１２４及び係止部１１５が、実用新案登録請求の範囲における挿入口及び第二の係止部とされている。
【００６８】
上記の構成からなる包装箱１００においては、上面部２から延出する外側フラップ１０９Ｆ及び外側フラップ１０９Ｂも、それぞれ外側フラップ６Ｒ，外側フラップ６Ｌ及び外側フラップ８Ｒ，外側フラップ８Ｌに係止されるため、包装箱１００の側壁Ａ及び側壁Ｂを構成する各フラップの係止がより確実に行われる様になる。
【００６９】
また、外側フラップ１０９Ｆ及び外側フラップ１０９Ｂに折れ線を設けていることから、例えば上面部２を包装箱の底面側として使用することも可能である。つまり、そのように使用したとしても、外側フラップ１０９Ｆ及び外側フラップ１０９Ｂに設けられた折れ線によって、外側フラップ１０９Ｆ及び外側フラップ１０９Ｂの変形が抑えられ、意図せずにフラップの係止が外れてしまうことが防がれるためである。
【００７０】
なお、本考案の技術範囲は上記実施形態に限定されるものではなく、本考案の趣旨を逸脱しない範囲において種々の変更を加えることが可能である。例えば、上記実施例において、外側フラップ７Ｆ，外側フラップ７Ｂ及び外側フラップ１０９Ｆ，外側フラップ１０９Ｂにそれぞれ三本の折れ線を設けていたが、これと異なる数の折れ線を設けてもよい。また、各折れ線は平行なものであってもよく、また、左右非対称など、異なる態様で設けられていてもよい。
【００７１】
また、上記実施例においては、外側フラップ７Ｆ及び外側フラップ７Ｂと外側フラップ１０９Ｆ及び外側フラップ１０９Ｂには、同一の態様で折れ線が設けられていた。しかしながら別の態様では、外側フラップ７Ｆ及び外側フラップ７Ｂと外側フラップ１０９Ｆ及び外側フラップ１０９Ｂとで、その数が異なる等、それぞれ異なる態様で折れ線が設けられていてもよい。また、外側フラップ１０９Ｆ及び外側フラップ１０９Ｂに折れ線を設けない態様であってもよい。また、上記実施例では段ボールシート材から構成される包装箱について記載したが、ボール紙など他の公知の部材によって構成されるものであってもよい。
【符号の説明】
【００７２】
１  包装箱
２  上面部
３  側壁部
４  底面部
５  側壁部
６Ｒ  外側フラップ
６Ｌ  外側フラップ
７Ｆ  外側フラップ
７Ｂ  外側フラップ
８Ｒ  外側フラップ
８Ｌ  外側フラップ
９Ｆ  内側フラップ
９Ｂ  内側フラップ
１０  押し込み片
１１  係止部
１２  差し込み部
１３  係止部
１４  押し込み片
１５  係止部
１６  差し込み部
１７  係止部
２０ａ  折れ線
２０ｂ  折れ線
２０ｃ  折れ線
２１  固定部
２２Ｒ  持ち手部
２２Ｌ  持ち手部
２３  挿入口
２４  挿入口
１００  包装箱
１０９Ｆ  外側フラップ
１０９Ｂ  外側フラップ
１１０  押し込み片
１１１  係止部
１１２  差し込み部
１１３  係止部
１１４  押し込み片
１１５  係止部
１１６  差し込み部
１１７  係止部
１２３  挿入口
１２４  挿入口
Ａ  側壁
Ｂ  側壁
Ｃ  中心線
Ｄ  収納空間
Ｅ  シート材
Ｆ  シート材
【図１】
0003188857.tif 000003
【図２】
0003188857.tif 000004
【図３】
0003188857.tif 000005
【図４】
0003188857.tif 000006
【図５】
0003188857.tif 000007